Podtech/llm-jp-corpus-v4-ja_patent huggingface dataset:
(57)【要約】      （修正有）【課題】目覚まし時計の覚醒確認に際して深呼吸による覚醒を促す装置は存在しない。また、起床後の覚醒を目的とした深呼吸の際にもその呼吸量達成を明示して、支援する装置が存在しない。確実に覚醒を促す目覚まし装置を提供する。【解決手段】目覚まし時計にファンモータ等の風量測定部１とＬＥＤレベルインジケータ３を設け、風量計測部１により計測される風速が一定以上で一定時間以上継続したことにより、目覚まし時計のアラーム解除をする。また、アラームが鳴動していないとき、風量計測部１により計測される風速が一定以上で一定時間以上継続したことによりレベルインジケータ３で風量レベルを赤・橙・黄・緑で表示する。【選択図】図１
2011085567.tif 000002
【特許請求の範囲】
【請求項１】
目覚まし時計に風量計測部を追加し、一定時間で一定風量以上を吹き付けないとアラームがとまらない装置。
【請求項２】
風量計測部と表示部を持ち一定時間で一定風量以上を吹き付けたことをレベル表示する装置。
【発明の詳細な説明】
【考案の詳細な説明】
【産業上の利用分野】
【０００１】この考案は目覚まし支援装置にかかるものである。
【背景技術】
【０００２】これまで時計に鳴動部をもつことにより目覚まし装置とするものは存在する。また、これら鳴動部を停止する際、覚醒の確認を条件に鳴動停止するものは存在する。これらはたとえば目覚まし装置から指示された操作を人間が行う。
【特許文献１】特許公開２００３−８４０８６
【考案が解決しようとする課題】
【０００３】目覚まし時計の覚醒確認に際して深呼吸による覚醒を促す装置は存在しない。また、起床後の覚醒を目的とした深呼吸の際にもその呼吸量達成を明示して、支援する装置が存在しない。
【課題を解決するための手段】
【０００４】目覚まし時計にファンモータ等の風量測定部を設け、この計測部により計測される風速が一定以上で一定時間以上継続したことにより、目覚まし時計のアラーム解除をする。また、アラームが鳴動していないとき、風量計測部により計測される風速が一定以上で一定時間以上継続したことによりレベルインジケータ表示する。
【作用】
【０００５】この事により、目覚まし時計のアラーム鳴動時、アラーム停止のために深呼吸することにより、覚醒する。また、起床後に覚醒のために深呼吸する際にもレベルメータにより呼吸量達成確認ができる。
【図面の簡単な説明】
【０００６】
【図１】風流計測部付き目覚まし時計の概観
【図２】風量をモータ起電力で測定しＡＤ変換を用いた場合のシステム構成
【図３】風量を遮蔽センサを用いてカウント計量した場合のシステム構成
【図４】深呼吸カウンタの概観
【図５】旗型風量計測部
【実施例】
【０００７】本考案の実施例を図に従って説明する。【０００８】図１は風量計測部付き目覚まし時計の概観である。
１はファン形状の風量測定部である。
２はアラームベルである。
３はＬＥＤレベルインジケータで風量レベルを赤・橙・黄・緑で表示する。緑に達するとアラーム解除する。
４は時計本体で、制御部基板を内蔵する。【０００９】図２は風量をモータ起電力で測定しＡＤ変換を用いた場合のシステム構成である。
１０はファンである。
１１はこのファンの軸に設置されたモータ発電機である。
１２はＡＤ変換部である。
１３は制御部である。
１４は表示部で、図１構成例の３のＬＥＤ表示にあたる。ファンモータの発生する起電力電圧によりでＡＤ変換して制御部でこのデジタル量が閾値に達しているかを判定し、アラーム解除する。
また、制御部は風量達成のレベルによりインジケータ表示する。
１５はアラーム部で図１構成例の２にあたり、鳴動する。【００１０】図３は風量を遮蔽センサを用いてカウント計量した場合のシステム構成である。１６は遮蔽センサで、ファンにより遮られる。モータ・ＡＤ変換がなく、１３は制御部である。回転速度は制御部でセンサの遮蔽が発生する頻度から得る。制御部でこの遮蔽頻度が閾値に達しているかを判定する。【００１１】図４は深呼吸カウンタの概観図である。１はファン形状の風量測定部である。３はＬＥＤレベルインジケータである。５はＬＣＤでカウンタ表示部である。この構成の場合、アラーム鳴動はなく、風量の達成をＬＥＤ表示し、カウントする。【００１２】風量の計測については例えば１０秒間１秒に一回に５段階（１〜５）の風速を計測しこの積算風量が例えば４０に達したとき風量達成とする。
徐々に覚醒するモードを用意する場合、積算風量が例えば２０に到達した時点で一旦アラーム停止し４０で最終停止する。
また、レベルインジケータは風流停止までは風速の段階を提示し、一旦風速がゼロとなった時点で風量積算値を表示する。【００１３】図５は旗型の風量計測部でファン形状の風量計測部に代わるものである。
２１は風受け部である。
２２は回転軸である。
２３は回転軸に加えられる回転戻しばねの回転方向である。
２４は回転ストッパである。風速を回転量によって計測し、ファン形状のものの回転速度に対応するものである。
【図１】
2011085567.tif 000003
【図２】
2011085567.tif 000004
【図３】
2011085567.tif 000005
【図４】
2011085567.tif 000006
【図５】
2011085567.tif 000007
(57)【要約】      （修正有）【課題】従来のポンプはシリンダーとロータの接面が少いため、機密性に乏しく、ポンプ効率が落ちる為、これをカバーする為に構造が複雑になったり、回転数を上げる必要がある。【解決手段】固定外円ケーシング５とこの中で回転する回転内円シリンダー４と、この回転内円シリンダーの中央部分に作られた筒状空間内に、主軸１とこれに繋った円偏心軸２と、この円偏心軸の回りで自転しながら主軸の回りを公転するロータ３を配置し、主軸を固定外円ケーシングと回転内円シリンダーの共通の中心点から少しずらした位置に配置し、円偏心軸、ロータ、回転内円シリンダーの３体によって作られる筒状空間の容積は回転と共に変化する。この３体の接点は全て面である為、機密性に優れ、低速回転でもポンプ性能が発揮される。【選択図】図１
2011085128.tif 000002
【特許請求の範囲】
【請求項１】
円形の固定外ケーシングの円形の縁に沿って片半分に、流体を吸入する吸込口を、反対側半分に流体を非出する吐出口を設け、このケーシングの中で、中央部分に筒状の空間を有する円形の回転内シリンダーを回転させ、さらに、この筒状空間内に、固定外ケーシングと回転内シリンダーの共通中心点から少しずらした位置に中心点を持つ主軸を配置し、このずれの長さの２倍の半径を持つ円形の偏心軸を主軸の中心点から前記のずれの長さと同じ距離に主軸と繋ぎ、さらにこの偏心軸にロータを配置し、主軸の回転と共に、ロータは円偏心軸を中心点に自転しながら主軸の回りを公転し、その公転軌道は必ず外ケーシング及び内シリンダーの共通の中心点を通り、筒状空間内を移動できる様にし、本ロータリーポンプを２基並列に繋ぎ、それぞれの円偏心軸とロータは、主軸の中心点の反対側に１８０度ずらした位置に配置したロータリーポンプ。
【発明の詳細な説明】
【技術分野】
【０００１】本発明はポンプ機構において、運動体が全て円回転の機密性に優れたロータリーポンプに関するものである。
【背景技術】
【０００２】従来のポンプは、羽根車、歯車、ベーン形式の方法によって作動しているが、いずれも、シリンダー部分と回転部分の接面が小さく機密性に乏しい為、その性能をあげるには、高速回転、あるいは、ベーン、ピストンの数を多くし構造が複雑になっている。
【発明の概要】
【発明が解決しようとする課題】
【０００３】従来のポンプは、シリンダーとロータ、あるいはピストンの接面が少く機密性に乏しい為ポンプ性能が下り、これを補完する上で運動体の回転を上げたり、ロータあるいはピストンに相当する部分の数を増したりして構造が複雑になっているが、本発明は、シリンダーとロータの接面を広くする事で機密性を上げ、構造が簡単になり、低速回転でもポンプ性能が落ちる事なく有効に働く事ができる様にしたものである。
【課題を解決するための手段】
【０００４】本発明は、吸込口と吐出口をもつ固定された外円ケーシング内に、この中で回転する中央部に筒状の空間を持つ回転内円シリンダーを配置し、外ケーシングと内シリンダーの共通の中心点から少しずれた位置に主軸を配置し、この主軸に円偏心軸を繋ぎ、さらにこの円偏心軸に、円偏心軸の中心点を自転の中心点として回転するロータを配置し、主軸が回転するとロータは自転しながら主軸のまわりを公転するようにする。ここでロータの自転の中心点の軌道は必ず、外ケーシング、内シリンダーの共通中心点を通る様に形成して、ロータを回転内円シリンダーの筒状空間内に収納することで上記課題を解決するものである。
【発明の効果】
【０００５】主軸が回転すると、円偏心軸、ロータも回転し、ロータを収納している内円シリンダーは、ロータの回転に伴い固定外円ケーシング内で回転するが、ロータが筒状空間内を移動する為、この３体、固定外ケーシング、回転内シリンダー及びロータの６面によって作られる筒状空間に変化が生じ、ポンプ作用が発生するが、この３体の接点が全て面である為、機密性に優れ、構造的にも簡単でポンプ性能が大きく発揮される。
【図面の簡単な説明】
【０００６】
【図１】ロータリーポンプの断面図である。
【図２】〔図１〕の側断面図である。
【図３】固定外ケーシング（略図）内で回転する回転内シリンダーとロータによって作られる空間の変化を図示したものである。
【発明を実施するための形態】
【０００７】本発明のロータリーポンプは、図１に示すように、円形の縁に沿って作られた吸込口（６）と、これと反対側に同じ様に作られた吐出口（７）をもつ固定外円ケーシング（５）の中に、中央部に筒状空間を持つ回転内円シリンダー（４）を形成し、この筒状空間内に、固定外円ケーシング（５）及び回転内円シリンダー（４）の共通の中心点（Ｃ）から少しずらした位置に、中心点（ａ）を有する主軸（１）を配置し、この主軸（１）に、外ケーシング（５）と内シリンダー（４）の共通中心点（Ｃ）と主軸（１）の中心点（ａ）のずれの長さの２倍の長さの半径を持つ円形の偏心軸（２）を繋ぎ、主軸（１）が回転すると円形の偏心軸（２）も共に回転する事になるが、この円偏心軸（２）の中心点（ｂ）が主軸（１）の回りを回る回転軌道（ｂ１）は必ず、回転内円シリンダー（４）、固定外円ケーシング（５）の共通中心点（Ｃ）を通る様に形成する。さらに、この円形の偏心軸（２）に、ロータ（３）を配置し、筒状空間内で、円形偏心軸（２）の回りを自転しながら、主軸（１）の回りを公転できる様に形成する。
【０００８】主軸（１）が回転すると、円偏心軸（２）も回転し、これによって回転内円シリンダー（４）も固定外円ケーシング（５）の中で共に回転が生じ、この為、ロータ（３）は円偏心軸（２）の中心点（ｂ）を回転の中心点として自転しながら主軸（１）の中心点（ａ）の回りを公転し、回転内円シリンダー（４）と固定外円ケーシング（５）とロータ（３）の３体によって作られる筒状空間は〔図３〕に示す様に、主軸（１）、円偏心軸（２）、ロータ（３）、回転内円シリンダー（４）の４体の回転と共に変化し、ポンプとして作動する。
【０００９】本発明を実施するに当り、ポンプを作動すると、重さのバランスが取れていない為、回転と共に振動が発生したり、流体の吸込量、吐出量に少量の増減が生じる為、〔図２〕に示す様に、本発明のポンプを２基並べて１対のロータリーポンプとし、２基のポンプの円偏心軸（２）とロータ（３）は主軸（１）の中心点（ａ）の反対側に１８０度ずらして配置する事によって滑らかなポンプ作用が可能となる。
【符号の説明】
【００１０】１    主軸
２    円偏心軸
３    ロータ
４    回転内円シリンダー
５    固定外円ケーシング
６    吸込口
７    吐出口
ａ    主軸の中心点
ｂ    円偏心軸及びロータの中心点
ｃ    回転内円シリンダー及び固定外円ケーシングの中心点
ｂ１  円偏心軸及びロータの中心点の回転軌道
【図１】
2011085128.tif 000003
【図２】
2011085128.tif 000004
【図３】
2011085128.tif 000005
(57)【要約】      （修正有）【課題】プロペラで推進力を得ようとすると、作用と反作用が生じる。大気中なら問題がないが、容器内で推進力を得るときは反作用を消滅しなければならない。その為に遠心力を利用して反作用を消滅させ推進力を得る推進装置を提供する。【解決手段】容器内５に回転筒４を入れ、その内側には遠心分離器３と遠心回転羽根２とプロペラ１を取り付けて回転させる。回転筒内の気体は回転しながら遠心力によって吹出し孔７から出て、気体回転制止板６で回転を止めながらプロペラ側に吸い込まれる。プロペラで推進力を発生させる大気と遮断している容器内で推進力を得る事により、ヘリコプタ−の欠点がなくなる。ロケットと同じように宇宙でも推進力を得ることが出来る。【選択図】図１
2011085121.tif 000002
【特許請求の範囲】
【請求項１】
作用・反作用で、容器内に於いて遠心力を利用して反作用を円周方向に向きを変換し、消滅させる。これにより作用を推進力として取り出して利用する推進装置。
【発明の詳細な説明】
【発明の詳細な説明】
【産業上の利用分野】
この発明は、容器内において推進力を得ることを目的とした。ヘリコプタ−と同じような飛び方が出来る飛行機の推進力に関するものである。
【背景技術】  従来のヘリコプタ−では、回転翼による騒音や風が強く、何処にでも手軽に離発着出来ない。気象条件（強風等）に左右されやすい。回転翼の強度から高回転の制限があり推進力も制限される。容器内で推進力を発生させるので騒音や風もでないのでこれ等が解決する。
【発明が解決しようとする課題】
本発明は、その欠点をなくすることを目的として考えたもので。容器内で推進力を発生するため、大気中とはつながりがない。▲５▼の容器内に▲４▼回転筒を入れ、その内側には▲３▼遠心分離器と▲２▼遠心回転羽根と▲１▼プロペラを取り付けて回転させる。回転筒内の気体は回転しながら遠心力によって▲７▼の吹出し孔から出て▲６▼の気体回転制止板で回転を止めながら▲１▼のプロペラ側に吸い込まれる。▲１▼のプロペラで推進力を発生させる（図１の右方向）、その反作用である逆方向の逆流気体は▲２▼遠心回転羽根の遠心力と▲３▼遠心分離機で回転しながら円周方向に変換し▲７▼の吹出し孔から出て反作用は消滅する。▲１▼のプロペラを▲４▼の回転筒と切り離し逆回転する構造にすれば、推進力は増すのではないかと思われる。その場合は▲６▼の気体回転制止板は不用である。
作用（推進力）−  反作用  ＝推進力  これを容器内で行なうのである。
【実施例】  容器内を気体ではなく、液体にすれば高い推進力が得られるが本体の重量が重くなり得策ではない。しかし潜水艦のようにスクリュ−音で識別されてしまうような物には便利である。大気がない所でも推進力が得られるので、人工衛星の姿勢制御や軌道修正に使える。自家用飛行機として手軽に何処からでも離発着が用意に出来るので自動車にかわる乗り物として使える。
【図面の簡単な説明】
【図１】  本発明の断面図である。図面は、容器内で推進力を発生させる実施例を示す。
【符号の説明】  ▲１▼はプロペラ  ▲２▼は遠心回転羽根  ▲３▼は遠心分離機  ▲４▼は回転筒  ▲５▼は容器  ▲６▼は気体回転制止板  ▲７▼は吹出し孔
【図１】
2011085121.tif 000003
(57)【要約】【課題】従来の発電方式では、火力発電では大量の化石燃料を使用し、二酸化炭素も多く排出しており、地球温暖化の要因に挙げられている。原子力発電では希少資源であるウランを大量使用し、多くの問題点が常に指摘されている。水力発電では、自然破壊と表裏一体となっている。風力、潮力発電では電力を充分に供給するには広大な土地を必要としている。【解決手段】重さを利用した本発明では、重さを持ち重量も自在に追加、削減可能な容器形式の固体物体を用い、その重さを圧力とし、複数の回転体に圧力を加え、回転体群の中での慣性モーメントの差異より角加速度を得て、動力系の歯車を回転させることで発電させる。化石燃料、ウランを一切使用せず、また、構造が簡単な為、省スペースで大容量発電が可能で、二酸化炭素も発生しない。いかなる狭い土地、国でも使用可能である。また、小型化する事、パスカルの方式の使用で、車類、船舶の駆動系動力としても、使用できる。【選択図】図１
2011085131.tif 000002
【特許請求の範囲】
【請求項１】
重力を受け下方に圧力を持つ固体物体を上部に置き、その重力圧力を直接、固体物体、又は、液体、気体を通して２つ以上の回転体群に加え続け、回転体間の慣性モーメントの差異により、回転体の角加速度を得る。
この角加速度を使って発電、駆動系の回転体を廻し、発電、車、船舶といった駆動系機器を稼動させる。
【請求項２】
重力圧力に加え、一定の圧力を受け圧縮させたバネ、気体等を用いて、直接、固体物体、又は、液体、気体を通して、回転体群に圧力をかけ続ける事により２つ以上の複数の回転体群の中の慣性モーメントの差異により、角加速度、回転速度を得る。
これを用いて請求項１と同様に発電、駆動系機器のエネルギーとして使用する。
【発明の詳細な説明】
【技術分野】
【０００１】本発明は、重さを活用した回転体の廻し方に関するものである。
器型も含め形状は問わないが重さをもった固体物体１と平板円盤３を一体化させ、その円盤を下方においた平板円盤４の斜め上に載せる。両円盤は歯のない平板で、下方の円盤４は軸をもたず、床面につける。この床面上の円盤４に水平な押し出し棒５をつけ、この棒の先に歯車６をつける。この押し出し棒６は押し出し棒支えで高さを固定させる。また、押し出し棒支えは、押し出し棒を支えるために、中に押し出し棒を通す穴をもつ。
この歯車６の下方に歯を歯車の円盤状の平板部分に円形においた歯車７を歯車６と直交するように設置する。歯車７の軸は、床上の回転溝に置き、軸の角度が変えられるようにする。
さらに、歯車６の前方に上部に少し傾斜を持った形で歯車９を設置する。
この歯車９も制御できるよう回転溝に軸を置く。この歯車も縁側には歯はなく、平板状の円盤の中に円状の歯の輪をおく。
固体物体１は重力を受け下方に圧力をかけるが、それを円盤４が受け止める。この時、円盤４には、斜め上方から圧力を受け、曲げモーメントが発生する。圧力は、歯車が床上にある為、垂直方向の力は消され、水平方向部分への圧力のみが残り、接続した押し出し棒５を押し出す圧力を発生させ続ける。
この力を先端の歯車６が受け、前方に圧力をかけ続ける。
この時、歯車６，７の慣性モーメントは歯車７が大きいと、角加速度（ｄｗ／ｄｔ＝Ｆ（圧力）／Ｉ（慣性モーメント））の差異が発生し、この場合、歯車６は前方に時計回りの回転の力が働く。また、歯車９の慣性モーメントが歯車６より小とすると、歯車９は歯車６の回転方向と同じ方向に回転する。同時に、歯車９は上部にあるが、少し傾きをもって歯車６の上にあり、同期して回転する。これにより、歯車６，７，９が回転する。この３つの歯車のどこからでも発電用歯車を回転させるエネルギーを取り出すことができる。
歯車６の回転方向は歯車７，９の慣性モーメントの差異によって決まる。
【背景技術】
【０００２】これまで、発電を行う為に石油、石炭、天然ガス、ウランを用いて、水蒸気を発生させ、タービンをまわす火力、原子力発電方式、水を大量に放水し、タービンを回転させる水力発電方式、風を用いた風力発電、地熱を用いた発電が採用されている。【０００３】火力発電では大量の化石燃料を使用し、原子力発電も希少資源のウランを多く使用する。
【発明の概要】
本発明では、重さを持ち重量も自在に追加、削減可能な容器形式の固体物体を用い、その重さを圧力として動力系の歯車を回転させる。
異なる慣性モーメントの歯車の間に歯車を置き、それに圧力をかける事で、角加速度を得る。この圧力は重量を任意に加える事ができるので角加速度、及びその積分である速度は、時間経過に伴い加速されて、大容量発電が可能となる。
【発明が解決しようとする課題】
【０００４】従来の発電方式では、火力発電では大量の化石燃料を使用し、二酸化炭素も多く排出しており、地球温暖化の要因に挙げられている。原子力発電では希少資源であるウランを大量使用し、多くの問題点が常に指摘されている。水力発電では、自然破壊と表裏一体となっている。風力、潮力発電では電力を充分に供給するには広大な土地を必要としている。
【課題を解決するための手段】
【０００５】重さを持ち重量も自在に追加、削減可能な容器形式の固体物体を用い、その重さを圧力とし、異なる慣性モーメントの歯車を使って、角加速度を発生させ、動力系の歯車を回転させることで発電させる。【０００６】歯車を直交させなくても、個々の歯車の位置は決まっており、歯を噛み合わせる事で、流星運動を起こさず慣性モーメントの差異で回転させることはできる。【０００７】内部に棒状のベアリングを並べて置いたキャタピラータイプの歯車を用いる場合は、実質慣性モーメントを限りなくゼロにできる為、回転の効率向上が可能となる。この場合、キャタピラータイプの歯車の内側から、側部に支え部を出し、床に設置する。【０００８】圧力のかけ方において、パスカルの方式を用いると、数倍から数十倍の圧力をかける事ができる。これと装置の小型により、自動車、船舶といった機器類の動力源として使用することができる。【０００９】圧力をかける方式としては、斜面に重さをもった固体物体を置き、その滑り落ちる力を使う方法もとれる。【００１０】図１の構成を複数使用する事で、性能の向上、制御、保守が可能となる。
【発明の効果】
【００１１】石油、石炭、ウラン、天然ガスを用いる事なく発電するため、電気コストが大幅に削減でき、構造が単純でコンパクトな為、日本に限らずどこいおいても設置が可能である。発電する為の重さは、金属、水といった流体、氷、木材、なんでも可である。動力として、自動車、船といった移動するものにも適用でき、燃費０で駆動させる事が可能となる。
【図面の簡単な説明】
【００１２】
【図１】本発明を実現、実施する為の図面
【符号の説明】
【００１３】  １  固体物体
２  固体物体押え
３  平板円盤３
４  平板円盤４
５  押し出し棒
６  歯車６
７  歯車７
８  歯部分
９  歯車９
１０  押し出し棒支え
１１  歯車７回転溝
１２  歯車９回転溝
【図１】
2011085131.tif 000003
(57)【要約】      （修正有）【課題】呼吸用空気圧縮機で空気を圧縮するさいに発生する油水分・オイルミスト・水蒸気・臭気等の分離排出する油水分離器、さらに清浄剤・活性炭素等を使用し油水分離できなかった微粒子化した油水分・オイルミスト・水蒸気・臭気等を清浄器で吸着・吸収していたが、温度の上昇にともない分離排出、吸着吸収の効率が低下する事は分かっていた。【解決手段】水冷式空気圧縮機は圧縮空気吐出口と油水分離器、清浄器（両方一体化したものもある。）の間にこの冷却器を接続し、既存の冷却水循環システムの間に接続すれば課題を解決できる。空冷式空気圧縮機には、圧縮空気吐出口と油水分離器の間に冷却用のフィンを取り付けた高圧鋼管を使っているが外気温度より低い温度に下げる事は物理的に不可能で、外気温度より低い温度にするには、この冷却器又は他の動力を使った冷却機を設置しなければならない。【選択図】図１
2011085120.tif 000002
【特許請求の範囲】
【請求項１】
呼吸用空気圧縮機で発生する油水分・オイルミスト・水蒸気・臭気などを排出又は吸着・吸収を向上させるため、圧縮機から吐出された空気温度を冷却水で冷却し、油水分離器・清浄器の温度上昇を防ぎ、それぞれの機能を向上させるための冷却器。
【発明の詳細な説明】
【技術分野】
【０１】  この発明は呼吸用圧縮機で発生する油水分・水蒸気・オイルミスト・臭気などの排出を向上させる。
清浄剤・活性炭素による臭気、微粒子化した油水分、オイルミスト臭気などの吸着・吸収も向上させる冷却器である。
【背景技術】
【０２】  水冷式コンプレッサーでは冷却前の冷却水温は冷却後には上昇します。吐出された高圧空気温度はコンプレッサー本体の冷却後の冷却水温よりさらに高い温度になります。
結果長時間運転することにより、油水分離器、清浄器本体までコンプレッサー吐出高圧空気温度近くまで上昇します。
空冷式コンプレッサーでは地域、季節によりその時の外気温度で冷却します。空冷式コンプレッサーにはコンプレッサー吐出口と油水分離器の間の高圧鋼管に冷却用フィンを付け冷却効果を高めていますが、外気温度以下に下げることは物理的に不可能です。
結果長時間運転する事により、油水分離器、清浄器本体まで外気温度より高い温度に上昇します。
【発明の概要】
【発明が解決しようとする課題】
【０３】  コンプレッサーから吐出された高圧空気の熱の伝導を遮断し、油水分離器、清浄器の温度上昇をおさえ油水分離器、清浄器の機能を向上させる。
【発明を解決させるための手段】
【０４】  水冷式コンプレッサーはコンプレッサー本体を冷却するための既存の機能を利用する。
空冷式コンプレッサーでは、水冷式コンプレッサーの既存の冷却機能を取り付けなければならない。
【発明の効果】
【０５】  コンプレッサーからの高圧空気の温度を下げることにより、高圧空気中の水蒸気を液化し、この時水蒸気中に微粒子化し、まじっていた油水分オイルミスト等も液化し、油水分離器により空気と分離排出する。又清浄剤、活性炭素の温度も下がる事によりその機能も向上し液化分離できなかった油水分・オイルミスト・臭気等の吸着・吸収力を向上させる。
【発明を実施するための形態】
【０６】  以下、本発明の断面図について図面を参照して説明する。
【０７】  この冷却器はコンプレッサー吐出口と油水分離器との間に装着し水漏れしないケース、図１−２に冷却効率を高めるためと小型化するためにコイル状の高圧鋼管、図１−４が入っていてコンプレッサー吐出口からの高圧空気は高圧鋼管、図１−７とケース内のコイル状高圧鋼管入口接続具、図１−１と接続されコイル状高圧鋼管出口接続具、図１−３と油水分離器に接続されている高圧鋼管、図１−８に接続される。
ケース図１−２には冷却水入口、図１−５と冷却水出口、図１−６があり水冷式コンプレッサーの場合冷却水出口、図１−６はコンプレッサー本体の冷却水入口と接続される。冷却水入口、図１−５は既存の冷却水の循環をさせているものに接続する。
空冷式コンプレッサーの場合はケース図１−２の中を冷却水が、循環・冷却するよう、工夫が必要である。
【図面の簡単な説明】
【０８】
【図１】本発明の構造の断面図。
【符号の説明】１・・・高圧鋼管入口接続具
２・・・ケース
３・・・高圧鋼管出口接続具
４・・・コイル状高圧鋼管
５・・・冷却水入口
６・・・冷却水出口
７・・・コンプレッサーからの高圧鋼管
８・・・油水分離器、清浄器への高圧鋼管
【図１】
2011085120.tif 000003
(57)【要約】【課題】実際の微細気泡を飲料に入れることなく、飲料に微細気泡を含んでいる感覚を付与することを目的とし、且つ、量販店や自動販売機での販売を可能とするために、製造工程における殺菌工程を経てもその効果を維持できる飲料を提供することを目的とする。【解決手段】金属イオンを供給する塩類と金属イオンと反応してゲル化する多糖類を反応させて微細なゲルを調製し、その微細なゲルを飲料に添加することによって上記課題を解決できる。【選択図】なし【特許請求の範囲】
【請求項１】
金属イオンと金属イオンと反応してゲル化する多糖類を反応させてできる微細なゲルを各種飲料に混合することによって、実際には微細気泡を含んでいないにもかかわらず、微細気泡を含んでいるような感覚が得られることを特徴とする飲料。
【請求項２】
金属イオンと反応してゲル化する多糖類を０．０５〜５.０％含有する請求項１記載の飲料。
【請求項３】
金属イオンを供給する塩類を含有する請求項１記載の飲料。
【発明の詳細な説明】
【技術分野】
【０００１】
本発明は、飲料に関し、特に実際には微細気泡を含んでいないにもかかわらず、微細気泡を含んでいるような感覚が得られる飲料に関するものである。
【背景技術】
【０００２】
カプチーノ、キャラメルラテ、抹茶ラテ等のコーヒー飲料、またミックスジュースやスムージーの様な果実と乳製品をミキサーで混合した飲料等は、泡の感覚を楽しむ飲料として人気がある。これらの飲料は、主に店頭で注文をしてから直ぐに飲み終えるようなスタイルが多く、スーパーマーケット、コンビニエンスストアの量販店や自動販売機で販売される飲料の場合、泡を保った状態の飲料を提供することは極めて困難である。
【０００３】
泡を楽しむことの出来る飲料は、起泡剤等を配合し商品化されているものもあるが、飲む前に強く振り、泡立てる必要がある。
【発明の開示】
【発明が解決しようとする課題】
【０００４】
本発明は、実際に泡を飲料に入れることなしに、飲料に微細気泡を含んでいる感覚を付与することを目的とするものであり、且つ、量販店や自動販売機での販売を可能とするために、製造工程における殺菌工程を経てもその効果を維持できる飲料を提供することを目的としている。
【課題を解決するための手段】
【０００５】
本発明者らは、上記問題点を解決すべく鋭意検討を行った結果、金属イオンを供給する塩類と金属イオンと反応してゲル化する多糖類を反応させて微細なゲルを調製し、その微細なゲルを飲料に添加することによって微細気泡を含んでいないにもかかわらず、微細気泡を含んでいるような感覚が得られる飲料を製造することができるという知見を得た。さらにこの微細なゲルは一般的な飲料の殺菌温度では溶融しない耐熱性を持つことから、量販店や自動販売機で販売が可能な飲料が製造できることを見出した。
【発明の効果】
【０００６】
本発明により、従来の技術では製造が不可能であった、常温流通が可能な微細気泡の感覚を模倣した飲料を製造できることにある。
【発明を実施するための最良の形態】
【０００７】
本発明において微細なゲルを調製するためのゲル化剤としては、ＬＭペクチン、アルギン酸、ジェランガム等の金属イオンと反応し、耐熱性のあるゲルを形成する多糖類が適している。
【０００８】
本発明において微細なゲルを調製するためには、上記多糖類を０．０５〜５.０重量％含有、好ましくは、０．５〜２．０重量％含有するが、この使用量は本発明の範囲を制限するものではない。
【０００９】
本発明では、他の多糖類を併用することも出来る。多糖類としては、HMペクチン、カラギナン、グァーガム、タラガム、ローカストビーンガム、キサンタンガム、寒天、デンプン等が挙げられるが、特に限定されるものではない。
【００１０】
本発明における微細なゲルの調製には、金属イオンを添加するが、二価の金属イオンが好ましく、特にカルシウムイオンが好ましい。使用するカルシウム塩としては、乳酸カルシウム、塩化カルシウム、クエン酸カルシウム、炭酸カルシウム、硫酸カルシウム、リン酸カルシウム等が上げられるが、特に限定されるものではない。
【００１１】
本発明における微細なゲルには、本発明の効果を損なわない範囲で、砂糖、水飴、液糖等の糖質、アスパルテーム、スクラロース、アスセルファムカリウム等の甘味料、色素、香料、酸味料、保存料、ビタミン類等を適宜、添加することが出来る。
【実施例】
【００１２】
次に本発明の擬似微細気泡を含む飲料についてココアミルクドリンクの実施例を挙げて説明するが、本発明はこれらによって、何ら限定されるものではない。
【００１３】
（１）微細なゲルの調製
LMペクチンを０.９重量％、砂糖４.２５重量％、ココア1.２５重量％、インスタントコーヒー０.２５重量％を予め混合しておき、約８０℃の湯３５.８５重量％にプロペラ等で攪拌しながら、分散、溶解した。次に乳酸カルシウム０.２５重量％、ココア１.２５重量％、インスタントコーヒー０.２５重量％、砂糖４.２５重量％を予め混合しておき、約８０℃の湯３６.５０重量％にプロペラ等で攪拌しながら、分散、溶解した。次にペクチンを含む溶液をプロペラ攪拌機等で激しく攪拌しながら、カルシウムを含む溶液を徐々に添加し、滑らかなペースト状になるまで攪拌した。さらに脱脂粉乳３.０重量％、砂糖１.５０重量％を水１０.５０重量％
に溶解したものを加え、微細なゲルを調製した。
（２）擬似微細気泡を含むココアミルクドリンクの調製
脱脂粉乳３.０重量％、ココア２.５重量％、インスタントコーヒー０.５重量％、砂糖１０.０重量％、カッパカラギナン０.０２５重量％を予め混合しておき、８３.９８重量％の水に分散した後、湯浴中で８５℃まで攪拌、冷却してココアミルクドリンクを調製した。次に調製した微細なゲル７部に対し、ココアミルクドリンクを３部混合したものを容器に充填後、殺菌した。得られた飲料は、実際には微細気泡を含んでいないにもかかわらず、微細気泡を含んだ感覚が得られる飲料であった。
【産業上の利用の可能性】
【００１４】
本発明により、従来の技術では困難であった常温流通が可能な微細気泡の感覚を模倣した飲料の製造が可能となった。
(57)【要約】【課題】  りん座布団に置かれるりんは、多くが金属製のもので、熱の寒暖に対して非常に敏感に反応するために、水蒸気などが付着しやすい。この現象を一般的にりんが汗をかくと表現する。特にりん座布団に接している底面部などが、汗をかきやすい。加えて、りん側部の水蒸気が滴り落ちるなどの現象で、りん座布団がりんと接触している部分がしっとりと水分を含みやすく、その部分やその周辺のりんやりん座布団が変色したり、腐りやすくなったりしていた。    前記付着した水滴などによる不具合を軽減しつつ、りんをりん棒で強打しても安定してりんを保持するりん座布団が求められていた。【解決手段】    直径２ミリ〜１０ミリの紐を立体的に交差させて、疎に編みこんで、紐によって、織りだし囲まれた１平方ミリ以上の空間部を複数有するりん座布団とした。 【選択図】  図１
2011182982.tif 000002
【特許請求の範囲】
【請求項１】
概略の直径値が２ミリ〜１０ミリの紐を立体的に交差させて、疎に編みこんで、紐によって、織りだし囲まれた１平方ミリ以上の空間部を複数有するりん座布団。
【請求項２】
請求項１に記載の紐が、組紐であることを特徴とする請求項１に記載のりん座布団。
【請求項３】
請求項１もしくは２に記載の紐が絹製であることを特徴とする請求項１又は２に記載のりん座布団。
【発明の詳細な説明】
【技術分野】
【０００１】
本発明は祭壇や仏壇などに用いる宗教用具のりん座布団に関するものである。
【背景技術】
【０００２】
りん座布団に関して、説明をする。仏壇や祭壇などに見られるりんを安定設置するために用いるものである。通常は綿などを布で覆ったものが使われている。工夫したものでは、特願平７−３１１５７号のりん台オートコールなどにみられるように、りん座布団中央部を中空にしたものがある。あるいは、紐を平面的に渦状にとぐろを巻かせて固定化させたものや、組みひもの端部を互いに繋げて、リング状にしたものがある。
【０００３】
あるいは座布団のかわりとして、弾性のゴムのリング（Ｏリング）のようなものを台座に付帯させたものも提案されている。
【先行技術文献】
【特許文献】
【０００４】
【特許文献１】特願平７−３１１５７号
【発明の概要】
【発明が解決しようとする課題】
【０００５】
りん座布団に置かれるりんは、多くが金属製のもので、設置場所の温度の寒暖に対して非常に敏感に反応するために、水蒸気などが付着しやすい。この現象を一般的にりんが汗をかくと表現する。特にりん座布団に接している底面部などが、汗をかきやすい。加えて、りん側部の水蒸気が滴り落ちるなどの現象で、りん座布団がりんと接触している部分がしっとりと水分を含みやすく、その部分やその周辺のりんやりん座布団が変色したり、腐りやすくなったりしていた。  
【０００６】
紐をつかった、前記渦状に巻かれたりん座布団やリングにおいても、接触部がぴったりと接触する構造であるためか、同様の不具合が生じていた。また、組紐を使った前記りん座布団では、りんをりん棒などで叩いたときに動くなどして不安定であった。
【０００７】
以上のりんに付着した水滴などによる不具合を軽減しつつ、りんをりん棒で強打しても安定してりんを保持するりん座布団が求められていた。
【課題を解決するための手段】
【０００８】
紐を疎に編みこんで、空間部を設けるようなりん座布団とした。直径２ミリ〜１０ミリの紐を立体的に交差させて、疎に編みこんで、紐によって、織りだし囲まれた１平方ミリ以上の空間部を複数有する、屈曲自在なりん座布団とした。
【０００９】
前記紐が組紐により、編みこまれた紐であると、よりいっそう、疎に編みこまれた接触部の接触面積が小さく、空気などが通りやすくなり、課題の解決に好ましい。
【００１０】
前記紐が一本だけのものであってもよいが、２本以上複数の紐により、疎に編みこまれたものであってもよい。複数の紐によると様々なバリエーションが楽しめて、見た目にも変化のあるりん座布団が楽しめる。
【発明の効果】
【００１１】
紐により、りん座布団が紐により、立体的に交差され、疎に編みこまれているために、りんの接触部分がぴったりとした密閉した状態にならないと同時に、立体的な空間部が多数形成されるために、通空性が格段によくなり、りんで発生した水滴などの水分による弊害を軽減することができる。  
【００１２】
また、りん棒により、りんを強打しても疎に編まれた座布団によって、柔軟にりんを保持するために、座布団から転げるといった弊害も無くすことができる。
【００１３】
加えて、疎に編まれていることによって、簡便に手で形状を変化させることができる。そのため、本発明のりん座布団をりんの形状に合せて、形状を手で変化させたりできて便利である。また、置き場所に合せ手細長い形状にしたり、立体的にしたりとデザイン的意匠を施すことができる。これは紐が屈曲自在であることに起因する。
【００１４】
中央部に空間部を設けた本発明のりん座布団によると、りんが中央部に落とし込まれるような形状で、安定設置できて、都合がよい。
【００１５】
また、上下に反転することも簡単であるために、リバーシブルに利用して、りん座布団の寿命を延ばすこともできる。
【図面の簡単な説明】
【００１６】
【図１】本発明の実施形態を示す説明図である。
【図２】本発明の実施形態を示す説明参考図である。
【図３】本発明の実施形態を示す参考図である。
【図４】本発明の実施形態を示す参考図である。
【発明を実施するための形態】
【実施例１】
【００１７】
図１は本発明のりん座布団の説明図である。このりん座布団１は、絹で編みこまれた組紐であって、直径が概略3ミリの紐２の組み紐二本で構成されている。この組紐を説明図のように上下交差させて、立体的に編みこむことによって、複数の空間部３が形成される。図２は側面からみた状態を示している。本発明の立体的な編みこみがなされていることがみてとれる。もちろん、高さを高くした、より立体的なりん座布団であってもよい。実際に直径４０ミリのりんを置いて使用されている状態を図３で示す。このように、弾力的にりんを安定保持することができる。りんは直径100ミリ以内の小型のりんが本発明に適していて、好ましいが、特に限定されるものではない。紐２の材質も、絹糸や綿が吸湿性や見かけ比重の点で、より好ましいが、本発明に樹脂などの化学繊維を用いてもよい。
【実施例２】
【００１８】
図４は本発明りん座布団の実施例１と異なる別意匠による各種形態を示したものである。実施例以外の編み方であってもよく、様々な組み合わせによって、面白い意匠を施すことができる。また、屈曲自在な紐で構成されるために、多彩な表現が可能である。疎に編んであり、屈曲自在であるために両端を引っ張ることで、少し細長い楕円にしたり、あるいは外側の部分を上部に湾曲するようにして、形状を立体的に変化させたりすることができて、便利である。
【符号の説明】
【００１９】
１      りん座布団
２      紐
３      空間部
【図１】
2011182982.tif 000003
【図２】
2011182982.tif 000004
【図３】
2011182982.tif 000005
【図４】
2011182982.tif 000006
(57)【要約】【課題】  カーテンレールとしても使用できる窓用の装飾体を提供する。【解決手段】  窓開口部の縦内周側面に取り付ける基部１と、基部１から窓の見付方向に沿って延びる装飾部２とを備え、装飾部２は、カーテンランナーが走行可能であって、基部側から先端側へ向けて下方に傾斜する部分を有しており、先端部にはカーテンランナーの抜け止め部３を有する。また、装飾部２が、中間部に頂点を有し、頂点から基部側及び先端側へ向けて下方に湾曲している。【選択図】      図１
2011182980.tif 000002
【特許請求の範囲】
【請求項１】
窓開口部の縦内周側面に取り付ける基部と、基部から窓の見付方向に沿って延びる装飾部とを備え、装飾部は、カーテンランナーが走行可能であって、基部側から先端側へ向けて下方に傾斜する部分を有しており、先端部にはカーテンランナーの抜け止め部を有することを特徴とする装飾体。
【請求項２】
装飾部が、中間部に頂点を有し、頂点から基部側及び先端側へ向けて下方に湾曲していることを特徴とする請求項１記載の装飾体。
【発明の詳細な説明】
【技術分野】
【０００１】
本発明は、窓周りに取り付ける装飾体に関する。
【背景技術】
【０００２】
従来、建築物の壁や柱に取り付け、草木を植えたプランター等を吊るして使用するハンガーがある。例えば、特許文献１には、躯体に固定した基部と、基部から略水平方向に延びる装飾部とを備えたハンガーが記載されている。このハンガーは、全体が主に曲線で構成され植物を模したものとなっており、それ自体を装飾体として使用することもできる。
【先行技術文献】
【特許文献】
【０００３】
【特許文献１】意匠登録第１３０６５０４号公報
【発明の概要】
【発明が解決しようとする課題】
【０００４】
しかしながら、このようなハンガーを窓飾りと兼用して使用する場合、すなわち、装飾部が窓ガラスと平行するように窓枠に基部を固定する場合、既設のカーテンレールと干渉してカーテンの取り付けに制約が生じることがあった。また、窓の上部に二つの構造物（ハンガーとカーテンレール）が設置されることになり、外観がすっきりしないものとなっていた。
【０００５】
本発明は、上記事情を鑑みたものであり、カーテンレールとしても使用できる窓用の装飾体を提供することを目的とする。
【課題を解決するための手段】
【０００６】
本発明のうち請求項１の発明は、窓開口部の縦内周側面に取り付ける基部と、基部から窓の見付方向に沿って延びる装飾部とを備え、装飾部は、カーテンランナーが走行可能であって、基部側から先端側へ向けて下方に傾斜する部分を有しており、先端部にはカーテンランナーの抜け止め部を有することを特徴とする。
【０００７】
本発明のうち請求項２の発明は、装飾部が、中間部に頂点を有し、頂点から基部側及び先端側へ向けて下方に湾曲していることを特徴とする。
【発明の効果】
【０００８】
本発明のうち請求項１の発明によれば、装飾体自体をカーテンレールとしても使用できるので、カーテンの取り付けに制約が生じず、外観もすっきりしたものとなる。また、装飾部が基部側から先端側へ向けて下方に傾斜する部分を有しているので、カーテンを閉める際に、カーテンランナーが基部側から先端側へスムーズに移動する。
【０００９】
本発明のうち請求項２の発明によれば、装飾部が頂点から基部側へ向けて下方に湾曲しているので、カーテンを閉める際に、基部側のカーテンランナーがその場に留まり、カーテンの基部側が開いてしまうことがない。また、全体が湾曲した構成で意匠性が良好である。
【図面の簡単な説明】
【００１０】
【図１】装飾体の正面図である。
【図２】装飾体にカーテンを取り付けて使用する場合の説明図である。
【図３】装飾体にプランターを掛けて使用する場合の説明図である。
【発明を実施するための形態】
【００１１】
以下、本発明の実施の形態を図面に基づいて説明する。本発明の装飾体は、図１に示すように、基部１と、基部１から延びる装飾部２とを備える。基部１は平板状で、窓縦枠２０の内周側面に取り付けてある。そして、基部１の略中心から、装飾部２が平面視して窓の見付方向に沿って延びている。また、装飾部２は側面視すると、基部１から上方へ湾曲した後、下方へなだらかに湾曲しており、先端は上方へ向けて略円形状に湾曲して抜け止め部３を形成している。さらに、装飾部２の基端からはフック部４が延びている。フック部４は、装飾部２より短く、下方へ湾曲した後、上方へ向けて略円形状に湾曲している。フック部４、装飾部２及び抜け止め部３は、一本の角棒を湾曲させてなるもので、全て連続した曲線で構成されている。なお、基部１と、装飾部２（及び抜け止め部３、フック部４）は、何れも金属製であり、両者は溶接により接合されている。
【００１２】
そして、上記のように装飾部２は、一本の角棒からなり連続した曲線で構成されたものであるから、環状のカーテンランナー１０を先端側から通すだけで容易に取り付けることができ、これを基部側から先端側へ、又はその逆向きへとスムーズに動かすことが可能である。装飾部２に複数個のカーテンランナー１０を取り付け、これらにカーテン１１を吊り下げれば、図２に示すように、本発明の装飾体をカーテンレールとして使用することもできる。装飾部２の先端には抜け止め部３を形成してあるから、カーテンランナー１０が先端から抜け落ちることはない。
【００１３】
このように、本発明の装飾体は、それ自体をカーテンレールとしても使用できるので、カーテン１１の取り付けに制約が生じず、外観もすっきりしたものとなる。また、装飾部２が基部側から先端側へ向けて下方に傾斜する部分を有しているので、カーテン１１を閉める際に、カーテンランナー１０が基部側から先端側へスムーズに移動する。さらに、装飾部２が頂点から基部側へ向けて下方に湾曲しているので、カーテン１１を閉める際に、基部側のカーテンランナー１０がその場に留まり、カーテン１１の基部側が開いてしまうことがない。また、全体が連続した湾曲形状であり、意匠性が良好である。
【００１４】
なお、図３に示すように、フック部４にはプランター３０等を掛けることができる。また、フック部４は装飾部２とは別に形成されているから、プランター３０を掛けるとともにカーテン１１を取り付けることもできる。
【００１５】
本発明は、上記の実施形態に限定されない。例えば、装飾部の形状は、カーテンを取り付ける分の長さがあり、カーテンランナーの移動を妨げるような段差や突起のないものであればよい。また、抜け止め部は、カーテンランナーの脱落を防止できればよく、レール部の先端が屈曲しているものや、カーテンランナーの直径よりも太い別部材を取り付けるものであってもよい。さらに、素材は金属に限られず、カーテンやプランター等の荷重を支えられるものであれば、木材や樹脂からなるものであってもよい。また、窓縦枠の内周側面に取り付けるほか、窓縦枠の屋内側に位置する縦額縁や躯体に取り付けてもよく、すなわち窓開口部の縦内周側に取り付けられるものであればよい。
【符号の説明】
【００１６】
１  基部
２  装飾部
３  抜け止め部
１０  カーテンランナー
【図１】
2011182980.tif 000003
【図２】
2011182980.tif 000004
【図３】
2011182980.tif 000005
(57)【要約】      （修正有）【課題】ゴルフパターブレードには一般に簡単な線や目印になるようなものが付けられているが、それだけでは目標を決めたり、方向を決めるのが難しい。【解決手段】之を解決するためフエースに管状又は円形線状の低い突起を設けゴルフボールを打ちやすくし、正確性を増すようにする。【選択図】図１
2011182959.tif 000002
【特許請求の範囲】
【請求項１】
ゴルフパターのフエースの重心近傍にリング状突起を設けたことを特徴とするゴルフパター。
【請求項２】
リング状突起は内径１０ないし４０ｍｍである請求項1記載のゴルフパター。
【請求項３】
リング状突起物は高さは  １．５ないし１０ｍｍである請求項1又は2のいずれかに記載のゴルフパター。                
【請求項４】
フエース面はリング状突起で囲まれた内側のフエース面を曲率半径４ｍ以上６ｍ以下の凹面とした請求項1ないし3のいずれかに記載のゴルフパター。
【請求項５】
リング状突起が鋼線または管のいずれかである請求項1ないし4のいずれかに記載のゴルフパター。
【発明の詳細な説明】
【技術分野】
【０００１】
一般にゴルフパターヘッドには簡略な線や目印になるようなものを付けられているがそれだけでは目標を決めたり方向を決めるのが難しい。          
【０００２】
之を解決するためフエースに管状又は円形線状の低い突起を設けゴルフボールを打ちやすくし正確性を増すようにする。
【先行技術文献】
【特許文献】
【０００３】
【特許文献１】特願２００５−２７６３４０号公報
【発明の概要】
【発明が解決しようとする課題】
【０００４】
一般にゴルフパターには簡単な線など目印になるものが付けられているが簡単すぎて正確な方向やパットの方向などきめにくい。
【０００５】
このパターとゴルフボールとの関係位置をより明瞭にしてボールをうちやすくすることによって課題を解決することが分かった。
【課題を解決するための手段】
【０００６】
（１）このためパターのフエースの重心近傍にリング状突起を設けたことを特徴とするゴルフパターを採用することにより目標に対する打球方向の正確性をます。
（２）リング状突起は内径10ないし４０ｍｍであるゴルフパターを採用することにより目標に対する打球方向の正確性をます。
（３）リング状突起物は高さ1.5ないし10mmである請求項1又は2のいずれかに記載のゴルフパターを採用することにより目標に対する打球方向の正確性をます。
（４）フエースはリング状突起で囲まれた内側のフエース面を曲率半径４ｍ以上６ｍ以下の凹面とした請求項1ないし3のいずれかに記載のゴルフパターを採用することにより目標に対する打球方向の正確性をます。
【発明の効果】
【０００７】
この突起が設けられていることによりボールが打ちやすくなると同時に適当に打ったりすればこの突起がパッチングの邪魔となり自然に正確に打とうとするようになり、効果があらわれる。
【図面の簡単な説明】
【０００８】
【図１】本発明のゴルフパターのヘッド部の斜視図をしめす。
【図２】リング状突起の近傍の斜視図を示す。
【図３】図2のA―A線断面を示す。
【図４】鋼撚り線を示す。
【図５】ゴムチュウブ被覆の鋼線をしめす。
【図６】リング状突起物と地上にあるボールを想定し且つその寸法も適宜に想定したときボールと突起物との関係位置を示す図である。
【発明を実施するための形態】
【０００９】
以下、本発明の実施の形態を図1  〜  図6に基いて説明する。
【実施例】
【００１０】
図1において、本発明のゴルフパターは、ゴルフボールの打球点であるゴルフパターヘッド1のフエース2の重心の近傍にリング状突起を設けたことを特徴とするものである。この実施例では、リング状突起5として、管を用いており、この管は内径25mm、外径27mm、高さ5mmとし、このリング状突起５はフエース2に固着されている。
また、図2は図1のリング状突起5の近傍の斜視図を示す。この図２のA-A線断面を図3に示す。図3に示す実施例では管のリング状突起5の内側のフエース2に曲率半径5mの凹面７がもうけられている。
リング状突起5の内側に設けた凹面７はゴルフボールがフエース2の打球点に正しく当たらなくても目標に向けてゴルフボールが転がるためのものである。この目的を達するためには、曲率半径4m〜6mの凹面７とすることが望ましい。
【００１１】
リング状突起5は上述の実施例では管であったが、之は鋼線であっても良い。リング状突起5の他の例として図4に鋼線を撚り線とした例を、又、図5にはゴムチュウブ被覆した鋼線の例を示した。そして、図4、図5に示した鋼線をリング状突起5に成形して、フエース2の重心近傍に固着すればよい。
又、図6には、ゴルフボール10をフエース2の打球点に当てた場合の上から見た模式図を示す。フエース2には、リング状突起5としての管及び鋼撚り線8を想定して設けた状況を現した。
【００１２】
リング状突起5はゴルフボール10をフエース2の打球点に正しく当てるためのものである。リング状突起5は特に内径は小さすぎるとゴルフボール10に当たってしまうため１０ｍｍ以上とし、大きすぎるとゴルフボール10をフエース2の打球点に正しく当てることが難しくなるために４０ｍｍ以下とすることが望ましい。又その高さはゴルフボール10を正しく打球点で捕らえるため目標として１．５ｍｍ〜１０ｍｍの範囲が望ましい。
【産業上の利用可能性】
【００１３】
ゴルフ用品の産業界において活用できる。
【符号の説明】
【００１４】
１  ゴルフパターヘッド
２  フエース
３  シャフト
４  バックフエース
５  リング状突起
６  ヘッドの頂点
７  管状突起内の凹面
８  鋼撚り線
９  ゴムチュウブ被覆した鋼線
10  ゴルフボール                  
【図１】
2011182959.tif 000003
【図２】
2011182959.tif 000004
【図３】
2011182959.tif 000005
【図４】
2011182959.tif 000006
【図５】
2011182959.tif 000007
【図６】
2011182959.tif 000008